(57)【要約】【目的】商品選択釦を押してからでも購入者の味の好みを満たすことが可能な自動販売機を提供する。【構成】コーヒー飲料のクリームを増量するときは、クリーム用の原料増減量釦５の増量釦を押圧すると、クリームパウダー増量信号が制御装置９０に出力される。制御装置９０はクリームパウダー増量信号を受け取ると、カップ保持装置２４で保持され、カップ搬送装置２５で搬送されるカップＣにコーヒーパウダーキャニスタＣ１と砂糖パウダーキャニスタＣ２からそれぞれ予め設定してある量のコーヒーパウダーと砂糖パウダーを、クリームパウダーキャニスタＣ３から増量されたクリームパウダーを供給するので、商品選択釦４を押圧する前に原料増減量釦５を押し忘れることがあっても、原料増減量釦５それぞれの釦毎に予め設定した時間の間、原料の増減を行うことができる。【選択図】        図１
2005078551.tif 000002
【特許請求の範囲】
【請求項１】
選択された飲料を機内で原料を調理して販売する自動販売機であって、
前記飲料の選択後、所定時間に限り前記原料の加減を受け付けるように制御する制御手段を設けたことを特徴とする自動販売機。
【請求項２】
選択された飲料を機内で原料を調理して販売する自動販売機であって、
前記飲料に添加材を付与する添加手段を有し、前記添加手段が、前記飲料の選択後、所定時間に限り作動するように制御する制御手段を設けたことを特徴とする自動販売機。
【請求項３】
前記添加手段で付与する前記添加材の表示手段と選択手段とを有していることを特徴とする請求項２に記載の自動販売機。
【発明の詳細な説明】
【技術分野】
【０００１】
本発明は、自動販売機であって、特に、コーヒー飲料等の販売を行う自動販売機に関するものである。
【背景技術】
【０００２】
図４は、この種の自動販売機の概略構成を示したものである。この自動販売機は、原料と湯水とからなる飲料をカップ内で調理して商品販売口から購入者に提供するカップ式自動販売機を示し、カップＣを供給するカップ供給装置２１と、コーヒーパウダー、砂糖パウダー、クリームパウダーを収容しカップＣに供給するキャニスタＣ１〜Ｃ３と、内部に図示しないヒータを備え、湯を供給する湯タンク２２と、図示しない攪拌モータに回転軸で接続されている攪拌羽根でカップＣに供給された原料と湯水とを攪拌する攪拌装置２３と、カップＣを保持するカップ保持装置２４と、カップ保持装置２４を搬送するカップ搬送装置２５と、を有している。（例えば、特許文献１参照）。
【特許文献１】特開平５−２５８１７５号公報
【発明の開示】
【発明が解決しようとする課題】
【０００３】
ところで、従来の自動販売機は、予めメーカーが味を調整した混合比に基づく原料と湯水とをカップに供給、攪拌して飲料を調理し、商品取出口に搬送している。このような自動販売機には、購入者の味の好みに合わせるため、クリームや砂糖等を増量または減量する機能を有するものがある。例えば、このような機能を有するコーヒー飲料の自動販売機では、購入者は、レギュラー、カフェオレ、カプチーノ、エスプレッソ等、複数のコーヒー飲料の中から所望のコーヒー飲料を自動販売機前面のパネルから選択して該当する商品選択釦を押す前に、好みに応じてクリームや砂糖等の増量釦または減量釦を押すことで所望の味となるようにクリームや砂糖等の増量釦または減量釦を押すようにしている。しかしながら、商品選択釦を押した後にはクリームや砂糖等の増量または減量等をすることができない。このため、一度商品選択釦を押してしまうと購入者の好みを満たす味の調整ができなかった。
【０００４】
この発明は、上述した従来技術による問題点を解消するため、商品選択釦を押してからでも購入者の味の好みを満たすことが可能な自動販売機を提供することを目的とする。
【課題を解決するための手段】
【０００５】
上記目的を達成するため、本発明の請求項１に係る自動販売機は、選択された飲料を機内で原料を調理して販売する自動販売機であって、前記飲料の選択後、所定時間に限り前記原料の加減を受け付けるように制御する制御手段を設けたことを特徴とする。
また、本発明の請求項２に係る自動販売機は、選択された飲料を機内で原料を調理して販売する自動販売機であって、前記飲料に添加材を付与する添加手段を有し、前記添加手段が、前記飲料の選択後、所定時間に限り作動するように制御する制御手段を設けたことを特徴とする。
また、本発明の請求項３に係る自動販売機は、上述した請求項２において、前記添加手段で付与する前記添加材の表示手段と選択手段とを有していることを特徴とする。
【発明の効果】
【０００６】
請求項１の発明によれば、商品を選択する前に原料増減量釦を押し忘れることがあっても、原料増減量釦それぞれの釦毎に予め設定した時間、原料の加減を行うことができるので、商品選択釦を押してからでも所定時間購入者の味の好みを満たすことが可能な自動販売機を提供することができるようになる。
請求項２の発明によれば、商品を選択する前に添加材を付与する釦を押し忘れることがあっても、添加材付与釦それぞれの釦毎に予め設定した時間、添加材の付与を行うことができるので、商品選択釦を押してからでも所定時間購入者の味の好みを満たすことが可能な自動販売機を提供することができるようになる。
請求項３の発明によれば、表示手段が点灯している原料増減量釦、添加材添付釦を押圧すると原料の加減および添加材の付与を実行できるので、簡単に購入者の好みを満たすことができるようになる。
【発明を実施するための最良の形態】
【０００７】
本発明は、選択された飲料を機内で原料を調理して販売する自動販売機であって、飲料の選択後、所定時間に限り原料の加減等を受け付けるように制御する制御手段を設けたことを特徴とする。これにより、商品選択釦を押してからでも購入者の味の好みを満たすことが可能な自動販売機を実現した。
以下、図面を参照して、この発明に係る自動販売機の好適な実施の形態について説明する。図１はこの発明の実施の形態であるコーヒー飲料等の自動販売機を示す斜視図、図２は制御ブロック図、図３はタイミングチャートである。
自動販売機１は、機器筐体２の前扉３に商品選択釦４、原料増減量釦５、トッピング釦６（表示手段を有する選択手段）および商品販売口７を備えている。商品選択釦４は、購入者が商品を選択するためのもので、商品表示部８に展示された複数の商品見本９に対応して設けてあり、原料増減量釦５はコーヒーや砂糖、クリームの増量または減量をするためのもので、制御装置９０（図２参照）と接続され、購入者が選択した選択信号を制御装置９０に出力する。また、前扉３には、硬貨を投入するためのコイン投入口１０、投入した硬貨を返却するためのコイン返却レバー１１、硬貨を返却するためのコイン返却口１２がそれぞれ設けられている。商品販売口７は、選択した商品を提供するための開口であり、その内底部にカップＣを載置するための販売トレイ１３が配設してある。
【０００８】
機器筐体２には、コーヒーパウダー、砂糖パウダー、クリームパウダーをそれぞれ収容した複数のキャニスタＣ１〜Ｃ３（図２参照）、ココアパウダー、シナモンパウダー、チョコレートチップ等のトッピング材をそれぞれ収容した複数のトッピングキャニスタＴＣ１〜ＴＣ３（図２参照）、オレンジシロップ、キャラメルシロップ、レモンシロップ等のシロップトッピング材をそれぞれ収容した複数のシロップトッピング装置ＳＴ１〜ＳＴ３（図２参照）、カップ供給装置２１、湯タンク２２、攪拌装置２３、カップ保持装置２４、カップ搬送装置２５（図４参照）と、制御装置９０、タイマー９１（制御装置９０とタイマー９１で制御手段を構成する。図２参照）が内蔵されている。
キャニスタＣ１〜Ｃ３は、購入者が選択した飲料の原料としてのコーヒーパウダー、砂糖パウダー、クリームパウダーをカップＣに供給する。
【０００９】
トッピングキャニスタＴＣ１〜ＴＣ３（添加手段）やシロップトッピング装置ＳＴ１〜ＳＴ３（添加手段）は、購入者の好みに応じたトッピング材（添加材）をトッピング（付与）するもので、トッピング釦６は、複数のトッピング材に対応した釦を設けてあり、制御装置９０と接続され、購入者が選択したトッピング材に対応した選択信号を制御装置９０に出力する。
制御装置９０は、投入金額や釣銭のチェック、キャニスタＣ１〜Ｃ３、トッピングキャニスタＴＣ１〜ＴＣ３やシロップトッピング装置ＳＴ１〜ＳＴ３から粉末原料やトッピング材を放出する動作を制御する他、適正金額が投入され、飲料が選択された後の時間をカウントするタイマー９１を備えている。即ち、制御装置９０は、飲料が選択された後、時間のカウントを開始すると共に、原料増減量釦５、トッピング釦６のそれぞれの釦毎に予め設定した時間（所定時間）、それぞれの釦の表示部（表示手段）を点灯させて、その表示部が点灯している時に釦が押圧されると、選択されたキャニスタＣ１〜Ｃ３、トッピングキャニスタＴＣ１〜ＴＣ３やシロップトッピング装置ＳＴ１〜ＳＴ３に信号を出力する。
【００１０】
コーヒーパウダーの原料増減量釦５はＴ１（例えば、３秒間）、砂糖パウダーの原料増減量釦５はＴ２（例えば、６秒間）、クリームパウダーの原料増減量釦５はＴ３（例えば、９秒間）、トッピング釦６はＴ４（例えば、１７秒間）の時間表示部を点灯させる（図３参照）。
以上のように構成される自動販売機１において所望のコーヒー飲料を購入するときは、先ず、購入者が所定の金額を投入し、複数の商品選択釦４から所望のコーヒー飲料に対応した商品選択釦４を押圧（選択）する。すると、選択信号が制御装置９０へ出力され、カップ供給装置２１からカップ保持装置２４に供給されたカップＣがカップ搬送装置２５で搬送されると共に、選択したコーヒー飲料に対応したキャニスタＣ１〜Ｃ３からカップＣにコーヒーパウダー等の粉末原料が、湯タンク２２から湯が、それぞれ所定量供給される。
【００１１】
カップＣに供給された粉末原料と湯が攪拌装置２３で攪拌されコーヒー飲料の調理が終了すると、カップＣが商品販売口７に搬送されて販売される。このとき、制御装置９０は、商品選択釦４が押圧されると同時に時間のカウントを開始すると共に、原料増減量釦５、トッピング釦６のそれぞれの釦毎に予め設定した時間、それぞれの釦の表示部を点灯させる。購入者が、それぞれの釦の表示部が点灯している間に何れかの釦を押圧すると、押圧された釦から選択信号が制御装置９０に出力される。
例えば、コーヒー飲料のクリームを増量するときは、クリーム用の原料増減量釦５の増量釦を押圧すると、クリームパウダー増量信号が制御装置９０に出力される。制御装置９０はクリームパウダー増量信号を受け取ると、カップ保持装置２４で保持され、カップ搬送装置２５で搬送されるカップＣにコーヒーパウダーキャニスタＣ１と砂糖パウダーキャニスタＣ２からそれぞれ予め設定してある量のコーヒーパウダーと砂糖パウダーを、クリームパウダーキャニスタＣ３から増量されたクリームパウダーを供給するので、商品選択釦４を押圧する前に原料増減量釦５を押し忘れることがあっても、原料増減量釦５のそれぞれの釦毎に予め設定した時間の間、原料の増減操作を行うことができる。
【００１２】
一方、飲料にシナモンパウダーをトッピングするときは、シナモンパウダー用のトッピング釦６を押圧すると、シナモンパウダートッピング信号が制御装置９０に出力される。制御装置９０はシナモンパウダートッピング信号を受け取ると、カップ保持装置２４で保持され、カップ搬送装置２５で搬送され、搬送途中で粉末原料と湯が供給され攪拌装置２３で攪拌されたカップＣにシナモンパウダーを収容しているトッピングキャニスタからシナモンパウダーを供給するので、商品選択釦４を押圧する前にトッピング釦６を押し忘れることがあっても、トッピング釦６のそれぞれの釦毎に予め設定した時間の間、トッピング操作を行うことができる。制御装置９０は、原料増減量釦５、トッピング釦６のそれぞれの釦毎に予め設定した時間のカウントを終了すると、それぞれの釦の表示部を消灯して、自動販売機１における一連の販売動作を終了させる。
【００１３】
このとき、購入者が原料増減量釦５、トッピング釦６の複数の釦を押圧したときは、それぞれの釦に対応したキャニスタＣ１〜Ｃ３、トッピングキャニスタＴＣ１〜ＴＣ３やシロップトッピング装置ＳＴ１〜ＳＴ３のそれぞれを動作させて原料の増減やトッピングを実行する。
一方、原料増減量釦５、トッピング釦６の何れの釦も表示部が点灯している間に押圧されなかったときは、制御装置９０は、それぞれの釦毎に予め設定した時間カウントしたら、表示部を消灯する。これにより、調理が終了したカップＣを商品販売口７の販売トレイ１３上に搬送して自動販売機１を飲料の購入待機状態とする。
このように、自動販売機に飲料の選択後、所定の時間に限り原料の加減およびトッピング材の添加を実行するように制御する制御手段を設けたことによって、購入者は、商品選択釦を押してからでも所定時間原料の加減およびトッピング材を追加することができる。このため、自動販売機１は、一層購入者の好みを満たしたコーヒー飲料を販売することができるようになる。さらに、表示部が点灯している原料増減量釦５、トッピング釦６を押圧すると原料の加減およびトッピングを実行できるので、簡単に購入者の好みを満たすことができるようになる。
【００１４】
上述の実施の形態は、コーヒー飲料の場合について説明したが、これに限定されるものではなく、例えば、清涼飲料水，ココア，紅茶、さらにはこれらを任意に複合した自動販売機あるいは飲料以外の食べ物の自動販売機にも適用可能である。
また、原料の増減、トッピング追加について説明したが、これに限定されるものではなく、例えば、原料の有無、トッピング量の増減、ホイップクリームの有無および増減、氷の有無等と自動販売機で調理する飲料の原料および添加材に適用可能である。
さらに、予め設定した時間で制御するにしているが、例えば、攪拌装置２３の攪拌が終了するまではトッピング釦６の押圧を受け付けるようにしてもよい。
【図面の簡単な説明】
【００１５】
【図１】本発明の実施の形態である自動販売機を示す斜視図である。
【図２】本発明の実施の形態である自動販売機を示す制御ブロック図である。
【図３】本発明の実施の形態である自動販売機を示すタイミングチャートである。
【図４】従来の自動販売機の概略構成を示したものである。
【符号の説明】
【００１６】
１    自動販売機
２    機器筐体
３    前扉
４    商品選択釦
５    原料増減量釦
６    トッピング釦
７    商品販売口
８    商品表示部
９    商品見本
１３    販売トレイ
２１    カップ供給装置
２２    湯タンク
２３    攪拌装置
２４    カップ保持装置
２５    カップ搬送装置
９０    制御装置
９１    タイマー
Ｃ１    コーヒーパウダーキャニスタ
Ｃ２    砂糖パウダーキャニスタ
Ｃ３    クリームパウダーキャニスタ
ＴＣ１  トッピングキャニスタ
ＳＴ１  シロップトッピング装置
【図１】
2005078551.tif 000003
【図２】
2005078551.tif 000004
【図３】
2005078551.tif 000005
【図４】
2005078551.tif 000006